(57)【要約】【課題】構造物の地下埋設物に加わる地震の衝撃力を可視化して測定する。【解決手段】染料或いは顔料を破壊強度の異なる複数種類のマイクロカプセル８に封入し、該各マイクロカプセルを破壊強度別に区分してカプセル層７の各カプセル層７aに配した感圧発色体５を、前記被検体である地下杭２等の衝撃力測定部位に設け、被検体が受けた地震衝撃力に応じてマイクロカプセルが破壊されることにより発現した染料或いは顔料の各カプセル層７ａの区分を調べることによって、被検体が受けた地震衝撃力を測定する。【選択図】図３
2011058913.tif 000002
【特許請求の範囲】
【請求項１】
被検体が地震によって受ける衝撃力を可視化して測定する地震衝撃力測定システムであって、該地震衝撃力測定システムは、染料或いは顔料を破壊強度の異なる複数種類のカプセルに封入し、該各カプセルを破壊強度別に区分して配した感圧発色体を前記被検体の衝撃力測定部位に設け、被検体が受けた地震衝撃力に応じてカプセルが破壊されることにより発現した染料或いは顔料の区分によって被検体が受けた地震衝撃力を測定することを特徴とする地震衝撃力の測定システム。
【請求項２】
感圧発色体は、シート状であることを特徴とする請求項１記載の地震衝撃力の測定システム。
【請求項３】
感圧発色体は、区分毎にカプセルの破壊強度が記載されていることを特徴とする請求項１または２記載の地震衝撃力の測定システム。
【請求項４】
感圧発色体は、区分がカプセルの破壊強度順に配設されていることを特徴とする請求項１乃至３の何れか１項記載の地震衝撃力の測定システム。
【請求項５】
区分は、並列状に配設されていることを特徴とする請求項４記載の地震衝撃力の測定システム。
【請求項６】
区分は、同心円状に配設されていることを特徴とする請求項４記載の地震衝撃力の測定システム。
【請求項７】
区分は、所定角度を存して周回り方向に配設されていることを特徴とする請求項４記載の地震衝撃力の測定システム。
【請求項８】
感圧発色体は、担体に担持されていることを特徴とする請求項１乃至７の何れか１項記載の地震衝撃力の測定システム。
【請求項９】
被検体が地震によって受ける衝撃力を可視化して測定する地震衝撃力測定方法であって、該地震衝撃力測定方法は、染料或いは顔料を破壊強度の異なる複数種類のカプセルに封入し、該カプセルを破壊強度別に区分して配した感圧発色体を前記被検体の衝撃力測定部位に設け、被検体が受けた地震衝撃力に応じてカプセルが破壊されることにより発現した染料或いは顔料の区分によって被検体が受けた地震衝撃力を測定することを特徴とする地震衝撃力の測定方法。
【発明の詳細な説明】
【技術分野】
【０００１】
本発明は、地震の発生等によって基礎杭等の地下埋設物が受ける衝撃力を測定する地震衝撃力の測定システムおよび測定方法の技術分野に関するものである。
【背景技術】
【０００２】
構造物が地震の発生等によって強い衝撃を受けた場合、該構造物の地下部分に埋設された基礎杭等の地下埋設物がどれ程の衝撃力を受けたかを知ることは、構造物や地下埋設物における亀裂や破壊等の地震被害の可能性を判断したり、或いは被害発生の場合における補修方法を決定したりする上でとても重要である。
ところで地下埋設物の地震被害の程度については、目視等によっては知ることが難しく、そこで基礎杭として埋設された鉄筋に導線を接続し該導線を電気抵抗測定器に接続して、通常時における電気抵抗値を予め測定しておき、地震が発生した場合は地震後の電気抵抗値を測定して前記通常時の測定値と比較し、異なる測定値を得た場合には基礎杭が破壊若しくは損傷を受けたと評価するように構成したもの（特許文献１）や、地下埋設物に振動装置で振動を与え、該振動によって発生する反射波の状態を地震前と地震後とで比較することによって基礎杭の破壊の有無や程度を評価するようにしたものが提唱されている（特許文献２）。しかしながらこれらのものは、地下埋設物の破壊の有無や程度を評価するものであって、構造物がどれ程の衝撃力を受けたかを知るものではない。
また、受けた外力によって生じる応力に比例して発光する応力発光材料を用い、該応力発光材料の発光状態を観測することで応力測定をするようにしたもの（特許文献３）や、二液反応により発光する発光前駆体を、所定の応力で破壊される脆性材料に封入して基礎杭内部に挿入し、地震により基礎杭に生じた応力によって脆性材料が破壊されると二液が反応して発光するよう構成し、該発光の有無を観測することで所定以上の応力を受けたか否かを検知するようにしたものが知られている（特許文献４）。
【先行技術文献】
【特許文献】
【０００３】
【特許文献１】特開平１０−１８３６５８号公報
【特許文献２】特開平１０−１８３６５９号公報
【特許文献３】特開２００１−２１５１５７号公報
【特許文献４】特開２００３−２６２５５４号公報
【発明の概要】
【発明が解決しようとする課題】
【０００４】
しかしながら、前記特許文献３のものを地震による衝撃力の測定に用いようとした場合、該応力発光材料の発光は絶えず変動する地震の応力に対する追従性が悪く、正確な応力測定ができないという問題がある。また特許文献４のものは、所定応力を超えたか否かという一点検知であって、どれくらいの応力が発生したか、ということの測定ができないという問題がある。しかも前者のものは応力に比例する発光であり、また後者のものは化学発光であるため発光時間に制限があり、このため、殆どリアルタイムでの観測が必要であるが、地震発生時に伴い停電になったりパソコン等の観測機械が故障したりすると、電気の供給や観測機械が復旧するまで事実上の観測ができないという問題があり、これらに本発明が解決しようとする課題がある。
【課題を解決するための手段】
【０００５】
本発明は、上記の如き実情に鑑みこれらの課題を解決することを目的として創作されたものであって、請求項１の発明は、被検体が地震によって受ける衝撃力を可視化して測定する地震衝撃力の測定システムであって、該地震衝撃力の測定システムは、染料或いは顔料を破壊強度の異なる複数種類のカプセルに封入し、該各カプセルを破壊強度別に区分して配した感圧発色体を前記被検体の衝撃力測定部位に設け、被検体が受けた地震衝撃力に応じてカプセルが破壊されることにより発現した染料或いは顔料の区分によって被検体が受けた地震衝撃力を測定することを特徴とする地震衝撃力の測定システムである。
請求項２の発明は、感圧発色体は、シート状であることを特徴とする請求項１記載の地震衝撃力の測定システムである。
請求項３の発明は、感圧発色体は、区分毎にカプセルの破壊強度が記載されていることを特徴とする請求項１または２記載の地震衝撃力の測定システムである。
請求項４の発明は、感圧発色体は、区分がカプセルの破壊強度順に配設されていることを特徴とする請求項１乃至３の何れか１項記載の地震衝撃力の測定システムである。
請求項５の発明は、区分は、並列状に配設されていることを特徴とする請求項４記載の地震衝撃力の測定システムである。
請求項６の発明は、区分は、同心円状に配設されていることを特徴とする請求項４記載の地震衝撃力の測定システムである。
請求項７の発明は、区分は、所定角度を存して周回り方向に配設されていることを特徴とする請求項４記載の地震衝撃力の測定システムである。
請求項８の発明は、感圧発色体は、担体に担持されていることを特徴とする請求項１乃至７の何れか１項記載の地震衝撃力の測定システムである。
請求項９の発明は、被検体が地震によって受ける衝撃力を可視化して測定する地震衝撃力測定方法であって、該地震衝撃力測定方法は、染料或いは顔料を破壊強度の異なる複数種類のカプセルに封入し、該カプセルを破壊強度別に区分して配した感圧発色体を前記被検体の衝撃力測定部位に設け、被検体が受けた地震衝撃力に応じてカプセルが破壊されることにより発現した染料或いは顔料の区分によって被検体が受けた地震衝撃力を測定することを特徴とする地震衝撃力の測定方法である。
【発明の効果】
【０００６】
請求項１または９の発明とすることにより、地震が発生して被検体が衝撃を受けると、衝撃力に応じた破壊強度のカプセルが破壊され、これら破壊されたカプセルが含有した区分だけが発色するため、感圧発色体の該発色した区分を見れば直ちに地震の衝撃力を知ることが出来る。従って、色濃度計に照らし合わせて発色濃度を特定したりする作業が不要となり、より迅速に地震によって発生した衝撃力を測定することが出来る。
しかも、該感圧発色体は、衝撃力が最大となった時に該最大の衝撃力に応じてマイクロカプセルが破壊され、染料或いは顔料が発現されて発色することから、発色した区分を調べれば衝撃力の最大値を知ることが出来て、構造物が受けた最大衝撃力を簡単に測定することができる。
そして、本発明によれば、既に発色している染料或いは顔料をカプセルに封入すれば良いため、染料前駆体を発色させるための顕色剤を必要とせず、部品点数の削減を図ることが出来る。
また、大地震が発生した場合、リアルタイムでの測定は困難である場合も多いが、該感圧発色体は時間が経過しても変色や退色が少ない上、仮令変色や退色があったとしても、一端発現した染料或いは顔料は未発現の区分とは明瞭に異なる色相を呈するため、発現と未発現とを見間違うことはなく、地震発生の後に測定を行っても正確な測定データを得ることが出来る。従って、停電等の事故が発生した場合であってもデータが消失してしまうといったようなトラブルがなく、確実に衝撃力を測定することが出来る。
さらにこの発明によれば、衝撃力測定部位に感圧発色体を設けるだけで衝撃力測定を行うことが出来て、衝撃力測定部位に分光器や光検出器といったような特別な装置を設ける必要がなく、地震による衝撃力の測定を簡単なシステムで行うことが出来る。しかも、どのような場所でも簡単に設置することができるため、測定地点を広範囲に設けることができて、より正確な地震衝撃力の測定を行うことが出来る。
請求項２の発明とすることにより、感圧発色体を被検体に直接貼付したり、被検体の周囲に設けた支持部材に貼付するだけの簡単な作業で取付けることが出来るため、任意の場所での衝撃力測定が可能であり、従って計測箇所を多数設けることも容易に出来る。
請求項３の発明とすることにより、感圧発色体の発色した区分が受けた衝撃力値を簡単に知ることができることから、正確かつ迅速な測定作業を行うことが出来る。
請求項４の発明とすることにより、発色した区分を視覚的に見つけ易く、従って感圧発色体が受けた破壊強度を迅速に知ることが出来る。
請求項５の発明とすることにより、感圧発色体が正方形状或いは長方形状であったような場合、区分をレイアウトし易く、視覚的にも発色した区分を見つけ易いものとすることが出来る。
請求項６の発明とすることにより、感圧発色体が円形状或いは楕円形状のようなものであった場合、区分をレイアウトし易く、視覚的にも発色した区分を見つけ易いものとすることが出来る。
請求項７の発明とすることにより、感圧発色体が円形状或いは楕円形状のようなものであった場合、区分をレイアウトし易く、視覚的にも発色した区分を見つけ易いものとすることが出来る。
請求項８の発明とすることにより、感圧発色体を取り出すにあたって、担体を地中から抜き出すだけで良く、感圧発色体を地中から取り出すために掘削したりする必要がない。従って、感圧発色体を簡単に地中から取出せるものにすることが出来る。
【図面の簡単な説明】
【０００７】
【図１】構造物および担体の概略図である。
【図２】（Ａ）、（Ｂ）は、それぞれ担体に感圧発色体が取付けられた様子を示す斜視図および発色体取付けプレートの縦断面図である。
【図３】（Ａ）、（Ｂ）は、それぞれ感圧発色体の第一の実施の形態を示す正面図、平面図である。
【図４】（Ａ）、（Ｂ）は、それぞれ感圧発色体の第二、第三の実施の形態を示す正面図である。
【図５】（Ａ）、（Ｂ）、（Ｃ）は、それぞれ感圧発色体の第四、第五、第六の実施の形態を示す要部側面断面図である。
【発明を実施するための形態】
【０００８】
以下、本発明の実施の形態について、図面に基づいて説明する。
図１に示すように、１は被検体である構造物であって、該構造物の土台を構成する地下杭（基礎杭）２の側面には、長尺の板材である担体３が、長尺方向が上下となるように地下杭２に沿って垂直状に埋設されている。該担体３は、例えば熱硬化性プラスチック或いはステンレス板等の硬性部材によって形成されており、図２（Ａ）に示すように、担体３の表面中央部位には、担体３の上端部３ａから下端部３ｂに至る溝部３ｃが形成されている。そして、該溝部３ｃの左右両側面には、それぞれ上端部３ａから下端部３ｂに至る凹溝３ｄ、３ｅが対向して形成されている。
【０００９】
一方、４は、担体３に形成された溝部３ｃにスライド嵌合する長尺の板材である発色体取付けプレートであって、担体３と同様に熱硬化性プラスチック或いはステンレス板等の硬性部材で形成されている。該発色体取付けプレート４の表面には、後述する正方形状のシート体である感圧発色体５が直列状に貼着される貼着部４ａが形成されており、左右両端部には、前記担体３の凹溝３ｄ、３ｅにスライド嵌合する凸条４ｂ、４ｃが形成されている。そして、担体３の凹溝３ｄ、３ｅに発色体取付けプレート４の凸条４ｂ、４ｃをスライド嵌合させることで発色体取付けプレート４が担体３に対して抜き差し自在に取付けられるようになっている。尚、図２（Ｂ）に示すように、感圧発色体５が貼着された発色体取付けプレート４の表面には軟性樹脂材等からなる被膜４ｄが一様に被覆されており、これによって感圧発色体５が発色体取付けプレート４から脱落したり、地中の水分等によって変質したりすることのないようになっている。
【００１０】
前述した感圧発色体５は、図３（Ａ）、（Ｂ）に示すように、基材６と、該基材６上に塗布されるカプセル層７とで構成されており、正方形状のシート体となって形成されている。上記基材６は板状であって、例えば、紙、合成紙、プラスティックフィルム等のある程度の硬性を有したもので形成されており、裏側面（反発色剤層側面）には貼着剤６ａが塗布され、該貼着剤６ａによって発色体取付けプレート４に貼着されるようになっている。
【００１１】
カプセル層７は、多数のマイクロカプセル８（本発明のカプセルに相当する）が含有する層であって、該マイクロカプセル８は、本実施の形態では既発色の染料或いは顔料が封入された状態で多数カプセル層に含有されている。このような染料としては、例えば、キサンテン系、チアジン系、フェニルメタン系、インジゴイド系、アゾ系、クマリン系、アジン系、ポリメチン系、シアニン系、フタロシアニン系、アントラキノン系、ピラゾリン系、スチルベン系、キノリン系等の化合物やこれらの混合物を使用することができ、また、顔料としては、例えば、カーボンブラック、鉛丹、酸化鉄赤、黄鉛、亜鉛黄、ウルトラマリン青、フェロシアン化鉄カリ等の無機顔料、或いはアゾ系、フタロシニアン系、インジゴイド系、アントラキノン系等の有機顔料を使用することができるが、何れも、白色以外の染料或いは顔料を使用することが好ましい。
【００１２】
マイクロカプセル８は、壁膜が白色不透明であって、マイクロカプセル８の破壊前に、封入された染料或いは顔料の色が透けないようになっていると共に、破壊されたマイクロカプセル８から発現された染料或いは顔料の色は明瞭に顕れるようになっている。この様な白色不透明のマイクロカプセル８は、例えば、ポリ尿素樹脂、尿素−ホルムアルデヒド樹脂、メラニン−ホルムアルデヒド樹脂、飽和ポリエステル、ポリウレタン系、エポキシ系、シリコーン系等を用いて形成することができる。また、カプセル層７には、マイクロカプセル８の保護材料として、アラビアゴムやゼラチン、でんぷん粒子等が配合されている。
【００１３】
ここでマイクロカプセル８の破壊強度は均一ではなく、地震によって発生する様々な外力に応じて破壊されるよう種々の異なる破壊強度を有する複数種類のマイクロカプセル８で構成され、該異なる破壊強度毎に区分されて各カプセル層７ａに含有されている。この様な破壊強度の異なるマイクロカプセル８の製造については、既に周知となっているため説明は省略するが、マイクロカプセル８の粒径や膜厚を異ならしめることによって破壊強度を調節することができる。
【００１４】
そして、各カプセル層７ａ−１、７ａ−２、７ａ−３、・・・７ａ−ｎに含有されるマイクロカプセル８は、カプセル層７ａ−１に含有されるマイクロカプセル８の破壊強度が最も弱く、カプセル層７ａ−ｎに向かって段階的に破壊強度が強くなり、カプセル層７ａ−ｎに含有されるマイクロカプセル８の破壊強度が最も強くなるようになっている。例えば、測定する衝撃力（ｋＮ／ｃｍ２）を、５ｋＮ／ｃｍ２から２５０ｋＮ／ｃｍ２までの範囲に設定したとすると、各カプセル層７ａ−１、７ａ−２、７ａ−３、・・・７ａ−ｎに含有されるマイクロカプセル８の破壊強度は、カプセル層７ａ−１に含有されるマイクロカプセル８が圧縮応力（ｋＮ／ｃｍ２）５ｋＮ／ｃｍ２で破壊されるものとし、カプセル層７ａ−ｎに含有されるマイクロカプセル８が圧縮応力２５０ｋＮ／ｃｍ２で破壊されるものとして、カプセル層７ａ−１からカプセル層７ａ−ｎまでは、例えば５ｋＮ／ｃｍ２或いは１０ｋＮ／ｃｍ２刻みに段階的にマイクロカプセル８の破壊強度が増すように配設する。
【００１５】
そして、各カプセル層７ａ−１、７ａ−２、７ａ−３、・・・７ａ−ｎの下方に設けられた破壊強度記載欄７ｂには、それぞれマイクロカプセル８の破壊強度が記載されており、これらが破壊されることによって色が発現したマイクロカプセル８の区分に基づいて衝撃力を数値として知ることが出来るようになっている。因みに、この破壊強度記載欄７ｂは必ずしも設ける必要はなく、別途保存した資料によって同定してもよく、要は、破壊したマイクロカプセル８の区分がどの強度であるかを認識できるようになっていれば良い。
【００１６】
このように構成される感圧発色体５は、地震の衝撃力を受けることによってマイクロカプセル８が破壊されて、マイクロカプセル８内の染料或いは顔料が発現することで発色されるが、前述したように、マイクロカプセル８は破壊強度の異なる複数種類のカプセルが、破壊強度毎に区分されて配設されているため、地震の衝撃力に応じた破壊強度以下のマイクロカプセル８までが破壊され、該破壊されたマイクロカプセル８が封入されたカプセル層７ａ−ｉまでの色の発現を確認し、そして破壊されたもののうち最も破壊強度の強いカプセル層７ａ−ｉの破壊強度を知ることで発生した地震の最大衝撃力を測定できるようになっている。
【００１７】
叙述の如く構成された本実施の形態において、構造物１の地下杭２が受けた地震の衝撃力を測定するにあたり、まず感圧発色体５が貼着された発色体取付けプレート４を担体３にスライド嵌合させた後、該担体３を地下杭２の側壁に沿って埋設しておく。そして、地震発生後には発色体取付けプレート４を担体３から抜き出し、該発色体取付けプレート４に貼着された感圧発色体５のカプセル層７の発色区分を調べる。ここで、各カプセル層７ａ−１、７ａ−２、７ａ−３、・・・７ａ−ｎには、それぞれの区分に配されているマイクロカプセル８の破壊強度が破壊強度欄７ｂに記載されているが、破壊により色が発現した各カプセル層７ａ中、最も破壊強度の強いマイクロカプセル８のカプセル層７ａ−ｉの区分の破壊強度を確認することで地震によって発生した衝撃力が直ちに測定できる。そして、地震の衝撃力の測定が終了した後には、発色体取付けプレート４の貼着部４ａに新たな感圧発色体５を再び貼着した後、該発色体取付けプレート４を担体３にスライド嵌合することで担体３に担持させればよく、このようにして感圧発色体を再び地下に埋設すれば引き続き地震の衝撃力を継続して測定することが出来る。
【００１８】
本実施の形態によれば、感圧発色体５における発色した各カプセル層７ａの区分を調べることで、該感圧発色体５が受けた最大の応力、つまり、地震の最大衝撃力を簡単に測定することが出来る。
このとき、染料或いは顔料の発色は時間の経過によって退色してしまうことはあっても完全に消失してしまうようなことはないため、地震や余震が確実に治まってから感圧発色体５を地中から取出して測定すれば良いことになって、安全を確保した上での測定が出来る。
しかもこのものでは、各区分には、含有するマイクロカプセル８の破壊強度が記載されているため、地震の最大衝撃力を数値として直ぐに知ることが出来る。このため、色濃度計に照らし合わせて色濃度を特定したりする必要がなく、衝撃力測定作業の簡略化を図ることが出来る。
そして本実施の形態のものでは、既に発色している染料或いは顔料がマイクロカプセル８に封入されているため、染料前駆体を発色させるための顕色剤を必要とせず、部品点数の削減を図ることが出来る。
その上、感圧発色体５は、シート体であるため、容易に着脱することが出来て交換も簡単である。また、貼着する場所を選ばないため、広範囲での測定が可能となり、測定地点を増やすことで正確な測定結果を得ることが出来る。
【００１９】
尚、本発明の実施の形態においては、カプセル層７を各カプセル層７ａ−１、７ａ−２、７ａ−３、・・・７ａ−ｎが並列したものに構成したが、これに限定されるものではなく、図４（Ａ）に示す第二の実施の形態のように、感圧発色体５を、各カプセル層７を同心円状に配して構成し、この場合に、例えば破壊強度の最も弱いマイクロカプセル８が封入されたカプセル層７ａ−１を中心部に配し、破壊強度の最も強いカプセル層７ａ−ｎ（本実施の形態ではカプセル層７ａ−５）を外周に配して、外周に近いカプセル層ほどマイクロカプセル８の破壊強度が強くなるよう各カプセル層を配して構成しても良い。
また、図４（Ｂ）に示す第三の実施の形態のように、円形状の感圧発色体５の各カプセル層７ａの区分を、所定角度を存して周回り方向に順次配設したものとしているが、この場合に、最も破壊強度の弱いカプセル層７ａ−１から最も破壊強度の強いカプセル層７ａ−ｎへと順番に周回り方向に並ぶように形成しても良い。
このように構成することで、感圧発色体５を円形状に形成した場合、破壊強度の異なるマイクロカプセル８が効率的に区分されて配設されたカプセル層７とすることが出来る。
【００２０】
また、本発明の前記実施の形態では、既発色の染料或いは顔料がマイクロカプセル８に封入されるものに構成したが、マイクロカプセルとしては、μｍオーダーのような小さなものに限定されず、錠剤用のように大きなカプセルであっても良く、また、封入されるマイクロカプセル或いはカプセルの数も特に限定されるものではなく、数万個であっても良いし、目視出来る程度の染料或いは顔料が封入されるものであれば一つでも良いのであって、マイクロカプセルの数量は特に限定されるものではない。
【００２１】
またさらに、本発明は、感圧発色体５を構成するにあたり、マイクロカプセル８に封入する染料としては、既発色のものに限定されず、染料前駆体を用いることもできる。つまり、図５（Ａ）に示す第四の実施の形態のように、染料前駆体をマイクロカプセル９に封入して発色剤層１０に含有せしめるとともに該発色剤層１０の下面に染料前駆体と反応して染料前駆体を発色せしめる顕色剤を含有する顕色剤層１１を形成し、マイクロカプセル９が破壊されることで染料前駆体と顕色剤とが反応して発色するようにしたものであっても良いし、また図５（Ｂ）に示す第五の実施の形態のように顕色剤をマイクロカプセル９に封入して顕色剤層１１に含有せしめ、発色剤層１０に含有する染料前駆体と反応せしめて発色するようにしても良い。勿論、図５（Ｃ）に示す第六の実施の形態のように、染料前駆体と顕色剤とをそれぞれマイクロカプセル９に封入して発色剤層１０に含有せしめても良く、このように構成することで、染料前駆体と顕色剤とをより均一に分散された状態にすることが出来る。
【００２２】
また、本実施の形態においては、感圧発色体５を正方形状或いは円形状のシート体としたが、これに限定されるものではなく、長方形状や楕円形状或いは多角形状のものであっても良く、また、発色体取付けプレート４の表面全てを覆うような一枚の長尺状シート体としても良いのであって特に限定されない。そしてマイクロカプセルに封入される染料或いは顔料としては１色に限定されず、区分ごとあるいは複数区分ごとに異色とすることもできる。
【００２３】
また、発色体取付けプレート４のみを地中に埋設して、測定時には該発色体取付けプレート４を地中から引き抜くように構成しても良いし、発色体取付けプレート４がスライド嵌合した担体３を直接地下杭２に取付けても良い。或いは、感圧発色体５を直接地下杭２に貼着けたり、感圧発色体５が貼着された発色体取付けプレート４を地下杭２に貼着けたりしても良く、掘り出しが容易な箇所にあってはこのように地下杭２に直接貼付けることで担体３或いは担体３および発色体取付けプレート４が不要となり、部品点数の減少を図ることが出来る。
【００２４】
さらにまた、感圧発色体５は垂直方向に設置されるものに限られず、水平方向に設置しても良いのであって、このように設置することで水平方向の衝撃力も測定することが出来て、より立体的に地震の衝撃力を測定することが出来る。
このように感圧発色体５は種々の取付け方法が可能であって、特に本実施の形態に限定されるものではなく、地震によって応力が発生する場所であればどこでも設置して地震衝撃力の測定をすることができる。
【産業上の利用可能性】
【００２５】
本発明は、地震の発生等によって基礎杭等の地下埋設物が受ける衝撃力を測定する地震による衝撃力測定の分野に利用可能である。
【符号の説明】
【００２６】
１  構造物
２  地下杭
５  感圧発色体
７  発色層
８  マイクロカプセル
【図１】
2011058913.tif 000003
【図２】
2011058913.tif 000004
【図３】
2011058913.tif 000005
【図４】
2011058913.tif 000006
【図５】
2011058913.tif 000007